(57)【要約】【課題】信号伝達部材の挿入状態を確認する際の視認性が良好な電気コネクタを提供する。【解決手段】本発明に係る電気コネクタの一例である電気コネクタ１は、絶縁性のハウジング２と、導電性のコンタクト３と、アクチュエータ４を備える。電気コネクタ１は、ＦＰＣやＦＦＣ等の板状の信号伝達部材５の末端部分を挿入して、電子機器等の配線基板と信号伝達部材５を電気的に接続する。ハウジング２は、上側壁部６と、下側壁部７と、上側壁部６及び下側壁部７を連結した上下連結部８を有している。ハウジング２の上側壁部６と下型壁部７の間には間隙が形成され、この間隙の媒体挿入方向の手前側が信号伝達部材５の末端部分９を挿入する差込口１０となっている。また、ハウジング２の上側壁部６及び下側壁部７のコネクタ長手方向の両端部には開口部１１が形成され、信号伝達部材５を差込口１０に挿入した状態が上側や側面側から視認可能となっている【選択図】図１
2018067464.tif 000002
【特許請求の範囲】
【請求項１】
複数の接触端子部が配置された板状の信号伝達部材を差し込み可能な差込口が形成された絶縁性のハウジングと、該差込口に挿入された前記信号伝達部材の前記接触端子部と配線基板を電気的に接続する複数の導電性のコンタクトを有する電気コネクタであって、
前記ハウジングは、前記複数のコンタクトの配列方向の長さを前記信号伝達部材の前記接触端子部の配列方向の長さよりも短く形成した第１の部材と、該第１の部材と対面配置されて前記差込口を構成すると共に、前記複数のコンタクトの配列方向の長さを前記第１の部材の同複数のコンタクトの配列方向の長さよりも長く形成した第２の部材と、前記第１の部材と前記第２の部材とを連結する第３の部材を有し、
前記コンタクトは、前記ハウジングに取り付けられると共に、前記第１の部材と前記第２の部材の間隙で、かつ、少なくとも同第１の部材及び同第２の部材のいずれか一方側に配置され、前記接触端子部と接触する接点部と、該接点部に連設されると共に前記配線基板に接続される接続部を有し、
前記第２の部材における前記第１の部材と対向する面上で、かつ、前記複数のコンタクトの配列方向で前記第１の部材の端部より外側に設けられ、前記差込口に挿入された前記信号伝達部材の挿入方向の奥側の端部の挿入位置を視認可能とする位置確認部を備える
電気コネクタ。
【請求項２】
前記第２の部材は、前記複数のコンタクトの配列方向の長さを前記信号伝達部材の前記接触端子部の配列方向の長さよりも長く形成した
請求項１に記載の電気コネクタ。
【請求項３】
前記第２の部材は、前記複数のコンタクトの配列方向で両側の端部が、前記第１の部材の同複数のコンタクトの配列方向の両側の端部よりも外側に位置する
請求項１または請求項２に記載の電気コネクタ。
【請求項４】
前記位置確認部は、前記第３の部材と連設して設けられ、前記信号伝達部材の挿入方向の奥側の端部と当接する
請求項１、請求項２または請求項３に記載の電気コネクタ。
【請求項５】
前記第２の部材の前記信号伝達部材の挿入方向の長さは前記第１の部材の同信号伝達部材の挿入方向の長さより長く形成され、同第２の部材の前記信号伝達部材の挿入方向の差込口側の端部が、同第１の部材の同信号伝達部材の挿入方向の同差込口側の端部の位置よりも外側に位置する
請求項１、請求項２、請求項３または請求項４に記載の電気コネクタ。
【請求項６】
前記第１の部材及び前記第２の部材の間に、同第１の部材の前記信号伝達部材の挿入方向に沿って前記信号伝達部材をガイドするガイド部が形成され、
前記信号伝達部材は、前記差込口に挿入する奥側の端部から手前側の端部に向けて窪み、前記ガイド部に係合する案内部が形成された
請求項１、請求項２、請求項３、請求項４または請求項５に記載の電気コネクタ。
【請求項７】
前記ガイド部は、前記第１の部材と前記第２の部材とを連結する
請求項６に記載の電気コネクタ。
【請求項８】
前記ガイド部は、前記複数のコンタクトの配列方向から見た断面で、前記第１の部材の前記信号伝達部材の挿入方向の前記差込口側の端部から、前記第２の部材の前記信号伝達部材の挿入方向の前記差込口側の端部に向かって傾斜する傾斜部が設けられた
請求項７に記載の電気コネクタ。
【発明の詳細な説明】
【技術分野】
【０００１】
本発明は、電気コネクタに関する。
【背景技術】
【０００２】
従来、板状の信号伝達部材であるフレキシブル・プリンテッド・サーキット（ＦＰＣ）や、フレキシブル・フラット・ケーブル（ＦＦＣ）等を、電気部品が取り付けられる配線基板に電気的に接続するために、種々の電気コネクタが用いられている。
【０００３】
板状の信号伝達部材の配線基板への取付けにあたって用いられる電気コネクタは、信号伝達部材を差し込み可能な差込口が形成された絶縁性のハウジングを有している。ハウジングは、信号接点を有する導電性のコンタクトが取り付けられ、コンタクトの信号接点が信号伝達部材に設けられた接触端子と接触して接続されるものとなる。
【０００４】
導電性のコンタクトは、ハウジングの差込口の位置に複数並べて配置され、信号伝達部材の複数の接触端子が設けられた配線パターンに対応する。また、各コンタクトには、配線基板の電極に、例えば、ハンダ付けされて固定される接続部が設けられている。
【０００５】
この電気コネクタでは、信号伝達部材が差込口からハウジングの内部に挿入され、信号伝達部材の複数の接触端子が、複数のコンタクトの信号接点と接触して、コンタクトを介して、配線基板と電気的に連結される。即ち、信号伝達部材が差込口に対して適正に差し込まれることで、信号伝達部材と配線基板との電気的導通が確保されるものとなる。
【０００６】
ＦＰＣやＦＦＣ等の信号伝達部材は、柔軟性を有した絶縁性の部材と導電性の部材とで構成されている。そのため、信号伝達部材の接触端子が配置された端面をハウジングの差込口に挿入する際に、挿入時の手応えや感触が得難く、ハウジング内の適切な位置まで、信号伝達部材を挿入したか否かが分かりにくいものとなっている。
【０００７】
このように、信号伝達部材の挿入状態が分かりにくいことから、信号伝達部材を、ハウジングに対応する最終的な挿入位置まで挿入していない、所謂、半嵌合状態や信号伝達部材の挿入方向の奥側の末端部分が斜めに傾いたままの状態となる。この状態で、信号伝達部材と電気コネクタとの嵌合が完了したと作業者が勘違いすると、信号伝達部材とコンタクトの接続不良が生じる場合がある。
【０００８】
こうしたなか、電気コネクタにおいて、信号伝達部材のコンタクトへの挿入状態を目視確認可能に構成して、信号伝達部材とコンタクトの接続不良の改善を試みた電気コネクタが知られている（例えば、特許文献１を参照）。コンタクトの挿入状態は、ハウジングの上面に、差込口に連通した窓部を設けて、この窓部から信号伝達部材の末端部分の位置が確認されるものとなる。
【先行技術文献】
【特許文献】
【０００９】
【特許文献１】特開２００１−３０７８３１号公報
【発明の概要】
【発明が解決しようとする課題】
【００１０】
ここで、特許文献１に記載の電気コネクタをはじめ、ハウジングの上面に設けた窓部では、信号伝達部材が最終的な挿入位置に到達したか否かを確認可能であるが、その視認性が問題となる。具体的には、近年、信号伝達部材の配線パターンが高密度化しており、複数の接触端子の配置間隔が狭くなる（狭ピッチ化）傾向にある。この結果、窓部から視認可能な範囲に位置するコンタクトと接触端子の数が多くなり、信号伝達部材の末端部分の位置の把握が難しくなる。
【００１１】
本発明は、以上の点を鑑みて創案されたものであり、信号伝達部材の挿入状態を確認する際の視認性が良好な電気コネクタを提供することを目的とする。
【課題を解決するための手段】
【００１２】
上記の目的を達成するために本発明の電気コネクタは、複数の接触端子部が配置された板状の信号伝達部材を差し込み可能な差込口が形成された絶縁性のハウジングと、該差込口に挿入された前記信号伝達部材の前記接触端子部と配線基板を電気的に接続する複数の導電性のコンタクトを有する電気コネクタであって、前記ハウジングは、前記複数のコンタクトの配列方向の長さを前記信号伝達部材の前記接触端子部の配列方向の長さよりも短く形成した第１の部材と、該第１の部材と対面配置されて前記差込口を構成すると共に、前記複数のコンタクトの配列方向の長さを前記第１の部材の同複数のコンタクトの配列方向の長さよりも長く形成した第２の部材と、前記第１の部材と前記第２の部材とを連結する第３の部材を有し、前記コンタクトは、前記ハウジングに取り付けられると共に、前記第１の部材と前記第２の部材の間隙で、かつ、少なくとも同第１の部材及び同第２の部材のいずれか一方側に配置され、前記接触端子部と接触する接点部と、該接点部に連設されると共に前記配線基板に接続される接続部を有し、前記第２の部材における前記第１の部材と対向する面上で、かつ、前記複数のコンタクトの配列方向で前記第１の部材の端部より外側に設けられ、前記差込口に挿入された前記信号伝達部材の挿入方向の奥側の端部の挿入位置を視認可能とする位置確認部を備える。
【００１３】
ここで、電気コネクタが、複数の接触端子部が配置された板状の信号伝達部材を差し込み可能な差込口が形成された絶縁性のハウジングを有することによって、絶縁性のハウジングの差込口に信号伝達部材を挿入して取り付けることが可能となる。
【００１４】
また、電気コネクタが、差込口に挿入された信号伝達部材の接触端子部と配線基板を電気的に接続する複数の導電性のコンタクトを有することによって、差込口に挿入した信号伝達部材の複数の接触端子部を、複数の導電性のコンタクトと接続して、配線基板と電気的に導通させることが可能となる。
【００１５】
また、ハウジングの、第１の部材と、第１の部材と対面配置されて差込口を構成する第２の部材によって、第１の部材と第２の部材との間に、信号伝達部材を挿入する差込口が構築されるものとなる。
【００１６】
また、ハウジングが、複数のコンタクトの配列方向の長さを信号伝達部材の接触端子部の配列方向の長さよりも短く形成した第１の部材と、第１の部材と対面配置されて差込口を構成する第２の部材を有することによって、差込口に信号伝達部材を挿入した際に、接触端子部の配列方向の端部が、同一方向に位置する第１の部材の複数のコンタクトの配列方向の端部より外側に位置するものとなる。即ち、例えば、電気コネクタを第１の部材側から第２の部材側に向けて平面視した際に、信号伝達部材の端部が、第１の部材の端部からはみ出た状態を目視することが可能となる。
【００１７】
また、ハウジングの、第１の部材と第２の部材とを連結する第３の部材によって、第１の部材と第２の部材を接続することが可能となる。
【００１８】
また、コンタクトが、ハウジングに取り付けられると共に、接触端子部と接触する接点部と、接点部に連設されると共に配線基板に接続される接続部を有することによって、コンタクトを介して、信号伝達部材と配線基板を電気的に導通させることが可能となる。
【００１９】
また、接点部が、第１の部材と第２の部材の間隙で、かつ、少なくとも第１の部材及び第２の部材のいずれか一方側に配置され、接触端子部と接触することによって、接点部が差込口の位置に設けられるものとなる。即ち、差込口に挿入された信号伝達部材の接触端子部と接点部が接触可能となる。
【００２０】
また、複数のコンタクトの配列方向の長さを信号伝達部材の接触端子部の配列方向の長さよりも短く形成した第１の部材と、第１の部材と対面配置されて差込口を構成すると共に、複数のコンタクトの配列方向の長さを第１の部材の複数のコンタクトの配列方向の長さよりも長く形成した第２の部材と、第２の部材における第１の部材と対向する面上で、かつ、複数のコンタクトの配列方向で第１の部材の端部より外側に設けられ、差込口に挿入された信号伝達部材の挿入方向の奥側の端部の挿入位置を視認可能とする位置確認部によって、差込口に挿入した信号伝達部材のハウジングへの挿入状態を容易に確認できるものとなる。即ち、第１の部材の端部より外側に位置した第２の部材に位置確認部が設けられており、差込口に信号伝達部材を挿入した際に、接触端子部の配列方向における信号伝達部材の端部が第１の部材の端部からはみ出た状態となり、このはみ出た部分の信号伝達部材における挿入方向の奥側の端部の挿入位置を位置確認部で確認することができる。
【００２１】
また、第２の部材の、複数のコンタクトの配列方向の長さを信号伝達部材の接触端子部の配列方向の長さよりも長く形成した場合には、複数のコンタクトの配列方向と、接触端子部の配列において、第１の部材より信号伝達部材が長く、信号伝達部材よりも第２の部材が長いという、３部材の長さが規定されたものとなる。このことにより、ハウジングの差込口に信号伝達部材を挿入した際に、第１の部材の端部より信号伝達部材の端部が外側に位置し、更に、その外側に第２の部材の端部が位置する。この結果、信号伝達部材の挿入位置を、第１の部材と第２の部材の両方と比較して確認することが可能となり、信号伝達部材のハウジングへの挿入状態を、より一層、確認しやすいものとなる。
【００２２】
また、第２の部材の、複数のコンタクトの配列方向の両側の端部が、第１の部材の複数のコンタクトの配列方向の両側の端部よりも外側に位置する場合には、差込口に信号伝達部材を挿入した際に、接触端子部の配列方向の両方の端部が、同一方向に位置する第１の部材の複数のコンタクトにおける配列方向の両方の端部より外側に位置するものとなる。この結果、より一層、信号伝達部材の挿入位置を、第１の部材と第２の部材の両方と比較しやすいものとなる。
【００２３】
また、位置確認部が、第３の部材と連設して設けられ、信号伝達部材の挿入方向の奥側の端部と当接する場合には、信号伝達部材のハウジングへの挿入状態を、位置確認部と信号伝達部材の挿入方向側の端部との当接の有無により確認可能となる。
【００２４】
また、第２の部材の信号伝達部材の挿入方向の長さが第１の部材の信号伝達部材の挿入方向の長さより長く形成され、第２の部材の信号伝達部材の挿入方向の差込口側の端部が、第１の部材の信号伝達部材の挿入方向の差込口側の端部の位置よりも外側に位置する場合には、信号伝達部材を差込口に挿入する際に、差込口に対して信号伝達部材を真っ直ぐに挿入するだけでなく、斜め上方から挿入することが可能となり、挿入の作業を行いやすくなる。即ち、信号伝達部材を差込口に対して斜め上方から挿入する際に、信号伝達部材の挿入方向の奥側の端部が第２の部材に当接して、その後、差込口に対して真っ直ぐに向くものとなる。
【００２５】
また、第１の部材及び第２の部材の間に、第１の部材の信号伝達部材の挿入方向に沿って信号伝達部材をガイドするガイド部が形成され、信号伝達部材に、差込口に挿入する奥側の端部から手前側の端部に向けて窪み、ガイド部に係合する案内部が形成された場合には、信号伝達部材を差込口に挿入する際に、信号伝達部材の主面に沿って回転する動きを規制して、信号伝達部材を真っ直ぐに挿入しやすいものとなる。信号伝達部材の案内部がガイド部と係合することで、信号伝達部材が回転して斜めになる、即ち、信号伝達部材の挿入方向の奥側の端面において、一方の角部が他方の角部よりも飛び出した向きになることを案内部とガイド部との係合により規制することができる。
【００２６】
また、ガイド部が第１の部材と第２の部材とを連結する場合には、ガイド部が第１の部材と第２の部材の間に形成された差込口の位置で２つの部材を支持するので、第１の部材と第２の部材との間の間隙の大きさを維持しやすいものとなる。即ち、例えば、電気コネクタの従来構造に見られるような、差込口の位置で、コンタクトを弾性変形させて接点部を信号伝達部材の接触端子部に接触させる接点構造を採用する際に、コンタクトの弾性変形に伴い、ハウジングの第１の部材の差込口側の端部が、第２の部材側に下がってくる変形を、ガイド部により抑止することができる。
【００２７】
また、ガイド部に、複数のコンタクトの配列方向から見た断面で、第１の部材の信号伝達部材の挿入方向の差込口側の端部から、第２の部材の信号伝達部材の挿入方向の差込口側の端部に向かって傾斜する傾斜部が設けられた場合には、電気コネクタを第１の部材側から第２の部材側に向けて平面視した際、傾斜部が第１の部材と重ならずに視認可能となる。この結果、信号伝達部材を差込口に挿入する際に、信号伝達部材の案内部をガイド部に係合させやすくなり、より一層、挿入の作業を行いやすくなる。
【発明の効果】
【００２８】
本発明に係る電気コネクタは、信号伝達部材の挿入状態を確認する際の視認性が良好なものとなっている。
【図面の簡単な説明】
【００２９】
【図１】（ａ）は、本発明を適用した電気コネクタを示したものであって、信号伝達部材の挿入前の状態を示す斜視図、（ｂ）は、図１（ａ）の電気コネクタの側面図、（ｃ）は、図１（ａ）の電気コネクタの背面図である。
【図２】（ａ）は、図１（ａ）の電気コネクタの平面図、（ｂ）は、図１（ａ）の電気コネクタの正面図、（ｃ）は、図２（ｂ）に示す矢印IIｃ−IIｃ方向の断面図である。
【図３】（ａ）は、本発明を適用した電気コネクタのハウジングを示す平面図、（ｂ）は、図３（ａ）に示す矢印IIIｂ−IIIｂ方向の断面図、（ｃ）は、図３（ａ）に示す矢印IIIｃ−IIIｃ方向の断面図である。
【図４】（ａ）は、本発明を適用した電気コネクタの単体を示す平面図、（ｂ）は、図４（ａ）に示す矢印IVｂ−IVｂ方向の断面図、（ｃ）は、図４（ａ）に示す矢印IVｃ−IVｃ方向の断面図である。
【図５】（ａ）は、本発明を適用した電気コネクタを示したものであって、信号伝達部材の挿入後で、かつ、アクチュエータが初期位置にある状態を示す斜視図、（ｂ）は、図５（ａ）の電気コネクタの側面図、（ｃ）は、図５（ａ）の電気コネクタの平面図である。
【図６】（ａ）は、本発明を適用した電気コネクタを示したものであって、信号伝達部材の挿入後で、かつ、アクチュエータが作用位置にある状態を示す斜視図、（ｂ）は、図６（ａ）の電気コネクタの側面図、（ｃ）は、図６（ａ）の電気コネクタの背面図である。
【図７】（ａ）は、図６（ｃ）に示す矢印VIIａ−VIIａ方向の断面図、（ｂ）は、図７（ａ）に示す符号Ｘで示した領域の部分拡大図である。
【発明を実施するための形態】
【００３０】
以下、図面を参照して、本発明の実施の形態を詳細に説明する。
【００３１】
図１（ａ）乃至図１（ｃ）に示すように、本発明に係る電気コネクタの一例である電気コネクタ１は、絶縁性のハウジング２と、導電性のコンタクト３と、アクチュエータ４を備える。電気コネクタ１は、ＦＰＣやＦＦＣ等の板状の信号伝達部材５の末端部分を挿入して、電子機器等に組み込まれている配線基板と信号伝達部材５を電気的に接続する。
【００３２】
ハウジング２は、中空枠状体の絶縁部材であり、コンタクト３及びアクチュエータ４を取り付ける基材である。また、ハウジング２は、信号伝達部材５を挿入可能な差込口１０を有し、コンタクト３と信号伝達部材５が接続される領域となる。ハウジング２は、図示しない配線基板上に配置される。
【００３３】
コンタクト３は、後述する互いに形状の異なる２種類のコンタクトから構成され、信号伝達部材５の接触端子部２２と接触して、配線基板の電極と信号伝達部材５を電気的に導通させる部材で、例えば、薄板状の金属部材から形成される。
【００３４】
アクチュエータ４は、ハウジング２に対して、初期位置（開放状態）と作用位置（閉塞状態）との間を回動自在に取り付けられた絶縁部材で、信号伝達部材５をハウジング２の差込口１０に挿入した後に、コンタクト３の接点部２７ａ１、２７ｂ１、２８ａ１、２８ｂ１と、信号伝達部材５の接触端子部２２との接触を担う接続操作手段である。
【００３５】
以下、各部材の詳細な構造を説明する。なお、以下では、ハウジング２における複数のコンタクト３が配列されている方向を「コネクタ長手方向」と呼ぶ。また、以下では、信号伝達部材５の挿入方向を「媒体挿入方向」と呼ぶこととする。
【００３６】
［ハウジング及び信号伝達部材について］
図１（ａ）及び図１（ｂ）に示すように、ハウジング２は、第１の部材となる上側壁部６と、第２の部材となる下側壁部７と、上側壁部６及び下側壁部７を連結した第３の部材となる上下連結部８を有している。上側壁部６、下側壁部７及び上下連結部８は樹脂等の絶縁部材で形成されている。
【００３７】
ハウジング２の上側壁部６と下側壁部７の間には間隙が形成され、この間隙における媒体挿入方向の手前側の端部が、信号伝達部材５の末端部分９を挿入する差込口１０となっている。
【００３８】
板状の信号伝達部材５は、複数の接触端子部２２から構成された配線パターン（信号伝送及びシールド用の導電路）が形成されている。信号伝達部材５がハウジング２の差込口１０に挿入された際に、複数の接触端子部２２がコンタクト３の対応するそれぞれの接点部と接触するものとなる。
【００３９】
また、ハウジング２の上側壁部６及び下側壁部７のコネクタ長手方向の両端部には開口部１１が形成され、信号伝達部材５を差込口１０に挿入した状態を、上方や側面から視認可能となっている（図１（ａ）参照）。なお、上方から視認とは、上側壁部６から下側壁部７の方向に視認することを意味し、側面から視認とは、コンタクトが配列された方向に視認することを意味している。
【００４０】
図２（ａ）及び図５（ｃ）に示すように、上側壁部６のコネクタ長手方向の長さは、信号伝達部材５の同方向の長さよりも短く形成されている。また、下側壁部７のコネクタ長手方向の長さは、信号伝達部材５の同方向の長さよりも長く形成されている。即ち、上側壁部６のコネクタ長手方向の長さは、下側壁部７の同方向の長さよりも短くなっている。
【００４１】
ハウジング２の上側壁部６及び下型壁部７のコネクタ長手方向と、信号伝達部材５の同方向における長さの関係により、信号伝達部材５をハウジング２の差込口１０に挿入した際には、信号伝達部材５のコネクタ長手方向の端部１２が、上側壁部６の端部１３の外側にはみ出て位置するものとなる。また、下側壁部７のコネクタ長手方向の端部１４が、信号伝達部材５の端部１２の外側にはみ出て位置するものとなる（図２（ａ）、図２（ｂ）及び図５（ｃ）参照）。
【００４２】
また、上側壁部６の短手方向、即ち、媒体挿入方向の長さは、下側壁部７の同方向の長さよりも短く形成されている。また、下側壁部７の短手方向における媒体挿入方向の手前側の端部１５は、上側壁部６の短手方向における媒体挿入方向の手前側の端部１６よりも、外方にとび出た形状となっている（図３（ａ）及び図４（ａ）参照）。
【００４３】
ここで、必ずしも、ハウジング２の上側壁部６及び下側壁部７のコネクタ長手方向の両端部に開口部１１が形成される必要はなく、例えば、コネクタ長手方向の一方の端部に開口部が形成され、他方の端部は閉塞した構造も採用しうる。但し、信号伝達部材５の挿入した状態の視認性が向上する点から、ハウジング２の上側壁部６及び下側壁部７のコネクタ長手方向の両端部に開口部１１が形成されることが好ましい。
【００４４】
また、必ずしも、上側壁部６の短手方向の長さが、下側壁部７の同方向の長さよりも短く形成される必要はない。但し、信号伝達部材５を差込口１０に挿入する際に、斜め上方からの挿入がしやすくなる点から、上側壁部６の短手方向の長さが、下側壁部７の同方向の長さよりも短く形成されることが好ましい。
【００４５】
また、信号伝達部材５をハウジング２の差込口１０に挿入した際に、信号伝達部材５のコネクタ長手方向の端部１２が、上側壁部６の端部１３の外側にはみ出て位置するものとなるが、信号伝達部材５のコネクタ長手方向の端部１２の一方の端部が上側壁部６の端部１３の外側にはみ出て位置するものでもよいし、信号伝達部材５のコネクタ長手方向の端部１２の両方の端部が上側壁部６の端部１３の外側にはみ出て位置するものでもよい。
【００４６】
また、下側壁部７のコネクタ長手方向の端部１４が、信号伝達部材５の端部１２の外側にはみ出て位置するものとなるが、下側壁部７のコネクタ長手方向の端部１４の一方の端部が信号伝達部材５の端部１２の外側にはみ出て位置するものでもよいし、下側壁部７のコネクタ長手方向の端部１４の両方の端部が信号伝達部材５の端部１２の外側にはみ出て位置するものでもよい。
【００４７】
ハウジング２の上側壁部６、下側壁部７及び上下連結部８は、差込口１０と、差込口１０の奥側とを連通するように形成された溝部１７、１８を有している（図３（ｂ）、図３（ｃ）参照）。溝部１７、１８はコンタクト３を圧入する領域である。
【００４８】
コンタクト３は、差込口１０の奥側からハウジング２に圧入される第１のコンタクト２７と、差込口１０の手前側から圧入される第２のコンタクト２８で構成されている。第１のコンタクト２７は溝部１７に、第２のコンタクト２８は溝部１８にそれぞれ圧入される。
【００４９】
信号伝達部材５をハウジング２の差込口１０に挿入した際に、信号伝達部材５の接触端子部２２のうち、先端が媒体挿入方向の奥側に位置する接触端子２９と第２のコンタクト２８が対応し、先端が媒体挿入方向と逆方向にやや後退した接触端子３０が第１のコンタクト２７と対応するものとなる（図２（ａ）参照）。第１のコンタクト２７及び第２のコンタクト２８の詳細な構造は後述する。
【００５０】
ここで、必ずしも、コンタクト３が、第１のコンタクト２７と第２のコンタクト２８の２種類で構成される必要はない。例えば、差込口１０の反対側から圧入されるコンタクトのみ（第１のコンタクト２７のみ）、または、差込口１０の手前側から圧入されるコンタクトのみ（第２のコンタクト２８のみ）の構成であってもよい。但し、２種類のコンタクトを利用することで、隣接するコンタクト３の接続部間の距離を十分に確保することができ、接触端子の配置間隔が狭く形成された、所謂、狭ピッチの信号伝達部材に対しても、配線基板への実装時の短絡を防止することができる。そのため、信号伝達部材５の接触端子が狭ピッチの場合は、コンタクト３を、第１のコンタクト２７と第２のコンタクト２８の２種類で構成することが好ましい。なお、コンタクト３の接続部とは、コネクタ１が配線基板に、例えば半田等によって接続される部分を示している。
【００５１】
ハウジング２の下側壁部７は、上下連結部８からコネクタ長手方向に沿って連設された位置確認部１９を有している（図１（ａ）及び図１（ｂ）参照）。位置確認部１９は、下側壁部７の上側壁部６と対向する面上に、上側壁部６に向かって突出する段差状に形成され、差込口１０に挿入された信号伝達部材５の末端部分９と当接して、信号伝達部材５の媒体挿入方向への動きを規制する。
【００５２】
また、位置確認部１９は、図２（ａ）に示すように、上側壁部６のコネクタ長手方向の両端部１３よりも外側に位置している。位置確認部１９と信号伝達部材５の末端部分９が当接した状態を目視して、信号伝達部材５のハウジング２への挿入が完了したことを確認することができる。
【００５３】
ここで、位置確認部１９が、下側壁部７における上側壁部６と対向する面上に段差状に形成され、差込口１０に挿入された信号伝達部材５の末端部分９と当接して、信号伝達部材５の媒体挿入方向への動きを規制するものに限定される必要はない。例えば、下側壁部７の上側壁部６と対向する面上にラインを形成して、同ライン部分を信号伝達部材５のハウジング２への挿入の状態を確認する際の目印とする構成も採用しうる。但し、信号伝達部材５の末端部分９が最終位置まで到達したことが、末端部分９と位置確認部１９の接触した感触で得られるようになるため、位置確認部１９が、下側壁部７の上側壁部６と対向する面上に上側壁部６に向かって突出する段差状に形成され、差込口１０に挿入された信号伝達部材５の末端部分９と当接して、信号伝達部材５の媒体挿入方向への動きを規制するものであることが好ましい。
【００５４】
下側壁部７は、上側壁部６の媒体挿入方向側の端部２０の位置より更に媒体挿入方向の奥側に延出して形成された部品装着部２１を有している（図１（ａ）参照）。部品装着部２１は、アクチュエータ４を取り付ける部分となる。また、部品装着部２１には上述した溝部１７、１８が形成され、差込口１０と、差込口１０の反対側から圧入された第１のコンタクト２７と第２のコンタクト２８の一部が配置される部分となる。
【００５５】
図１（ａ）及び図１（ｂ）に示すように、ハウジング２は、媒体挿入方向に沿って形成された２つのガイド部２３を有している。ガイド部２３は、上側壁部６と下側壁部７を連結して、上下連結部８とも繋がっている。
【００５６】
また、ガイド部２３の媒体挿入方向の手前側の端面には、上側壁部６の端部１６から媒体挿入方向の手前側に傾斜した傾斜部２４が設けられている。傾斜部２４は平面視で上側壁部６と重ならない領域に位置している（図１（ａ）及び図１（ｂ）参照）。
【００５７】
信号伝達部材５は、複数の接触端子部２２の端子部間に、末端部分９の媒体挿入方向の奥側から手前側に切欠かれた２つの案内部２５を有している（図１（ａ）及び図２（ａ）参照）。信号伝達部材５を差込口１０に挿入する際に、信号伝達部材５の案内部２５は、ハウジング２のガイド部２３と対向する位置に形成されており、信号伝達部材５をハウジング２へ挿入することで、案内部２５とガイド部２３とが係合する。
【００５８】
ガイド部２３は、ハウジング２の上側壁部６の媒体挿入方向の手前側の端部１６が下側壁部７に向けて変形してしまう状態を抑止するための支持部材としても機能する。また、ガイド部２３に形成された傾斜部２４は、信号伝達部材５をハウジング２の差込口１０に挿入する際に、信号伝達部材５の案内部２５を、ハウジングのガイド部２３に係合させる為の目印としても機能する。
【００５９】
更に、ガイド部２３と案内部２５が係合することで、信号伝達部材５を差込口１０に挿入する際に、信号伝達部材５がその主面に沿って回転する動き（信号伝達部材５の末端部分９における接触端子部の配列方向の両端部がコネクタ短手方向に対して傾く動き）を規制するものとなる。
【００６０】
ここで、必ずしも、ハウジング２にガイド部２３が形成され、信号伝達部材５に案内部２５が形成される必要はない。但し、信号伝達部材５の差込口１０への挿入の際に、信号伝達部材５が回転しにくくなり、電気コネクタ１への半嵌合の状態が生じにくくなる点から、ハウジング２にガイド部２３が形成され、信号伝達部材５に案内部２５が形成されることが好ましい。
【００６１】
また、必ずしも、ガイド部２３の媒体挿入方向の手前側の端面に、平面視で上側壁部６と重ならない領域に位置した傾斜部２４が設けられる必要はない。但し、信号伝達部材５を差込口１０に挿入する際に、信号伝達部材５の案内部２５をガイド部２３に係合させやすくなり、挿入の作業を行いやすくなる点から、ガイド部２３の媒体挿入方向の手前側の端面に、平面視で上側壁部６と重ならない領域に位置した傾斜部２４が設けられることが好ましい。
【００６２】
図３（ａ）乃至図３（ｃ）を用いて、本発明を適用した電気コネクタ１のハウジング２の構造を示す。
【００６３】
ハウジング２は、第１のコンタクト２７を圧入する第１のハウジング部２ａと、第２のコンタクト２８を圧入する第２のハウジング部２ｂから構成され、コネクタ長手方向に沿って、第１のハウジング部２ａと、第２のハウジング部２ｂが交互に配置されている（図３（ａ）参照）。
【００６４】
第１のハウジング部２ａと、第２のハウジング部２ｂは、コネクタ長手方向に板状に配置された上下連接部８で、コネクタ長手方向及び鉛直上下方向（図３（ｂ）及び図３（ｃ）の上下方向）に繋がっている。
【００６５】
第１のハウジング部２ａには、溝部１７が形成され、同部分に第１のコンタクト２７が圧入される。また、第１のハウジング２ａは、上側壁部６を構成する上側壁部６ａと、下側壁部７を構成する下側壁部７ａを有している（図３（ｂ）参照）。
【００６６】
第２のハウジング部２ｂには、溝部１８が形成され、同部分に第２のコンタクト２８が圧入される。また、第２のハウジング２ｂは、上側壁部６を構成する上側壁部６ｂと、下側壁部７を構成する下側壁部７ｂを有している（図３（ｃ）参照）。
【００６７】
［コンタクト及びアクチュエータについて］
図４（ａ）乃至図４（ｃ）を用いてコンタクト３の構造について説明する。上述したように、導電性のコンタクト３は、第１のコンタクト２７及び第２のコンタクト２８から構成され、ハウジング２に圧入して装着されている。
【００６８】
第１のコンタクト２７及び第２のコンタクト２８は、ハウジング２の内部において、コネクタ長手方向に沿って、適宜の間隔をなして、いわゆる多極状をなすように配置されている。異なる形状を有する第１のコンタクト２７と第２のコンタクト２８とが、多極配列の方向であるコネクタ長手方向に交互に配列されている。
【００６９】
第１のコンタクト２７と第２のコンタクト２８の各々は、例えば、信号伝送用又はグランド接続用として、配線基板（図示省略）上に形成された導電路（図示省略）に対して半田接合により実装された状態で使用されるものとなる。
【００７０】
第１のコンタクト２７は、ハウジング２に設けられた溝部１７に、差込口１０の奥側から差込口１０の手前側（図４（ａ）の下方側）に向かって圧入されて装着されている。また、第２のコンタクト２８は、ハウジング２に設けられた溝部１８に、差込口１０の手前側から差込口１０の奥側（図４（ｃ）の上方側）に向かって圧入されることにより装着されている。
【００７１】
また、第１のコンタクト２７の接点部２７ａ１、２７ｂ１（図４（ｂ）参照）と、第２のコンタクト２８の接点部２８ａ１、２８ｂ１（図４（ｃ）参照）は、ハウジング２の差込口１０を通して、ハウジング２の内部に挿入された信号伝達部材５の配線パターン（接触端子２９及び接触端子３０。図２（ａ）参照。）に対応した位置に配置されている。信号伝達部材５に形成された配線パターンは、信号伝送用導電路（信号線パッド）又はシールド用導電路（シールド線パッド）を適宜のピッチ間隔で配置したものである。
【００７２】
ここで、必ずしも、第１のコンタクト２７が２つの接点部２７ａ１、２７ｂ１で信号伝達部材５の接触端子に接触する必要はなく、信号伝達部材の配線パターンに合わせて、接点部の数や位置も適宜変更することができる。例えば、コンタクトが、接点部２７ａ１のみ、または、接点部２７ｂ１のみを有する形状も有り得る。
【００７３】
第１のコンタクト２７は、媒体挿入方向（図４（ｂ）の左右方向）に沿って略平行に延在する一対の細長状ビーム部材である第１のコンタクトビーム２７ａ及び第２のコンタクトビーム２７ｂを有している。
【００７４】
第１のコンタクトビーム２７ａ及び第２のコンタクトビーム２７ｂは、ハウジング２の内部空間で、図４（ｂ）で見る上下方向に適宜の間隔をなして、互いに対向するように配置されている。
【００７５】
第２のコンタクトビーム２７ｂは、ハウジング２の底面板の内壁面に沿って配置されている。第２のコンタクトビーム２７ｂの上方に略平行に延在する第１のコンタクトビーム２７ａが、連結支柱ビーム２７ｃを介して第２のコンタクトビーム２７ｂに一体的に連結されている。
【００７６】
連結支柱ビーム２７ｃは、細幅の板状部材から形成されており、第１のコンタクトビーム２７ａ及び第２のコンタクトビーム２７ｂの延在方向の略中央位置で、図４（ｂ）で見る上下方向に延在するように配置されている。
【００７７】
この連結支柱ビーム２７ｃの上端部分に連結された第１のコンタクトビーム２７ａは、連結支柱ビーム２７ｃが有した弾性に基づき、第２のコンタクトビーム２７ｂに対して弾性変位可能に構成されている。これにより、各第１のコンタクトビーム２７ａが、揺動可能となっている。
【００７８】
また、第１のコンタクトビーム２７ａの前方側部分（図４（ｂ）の左側部分）には、信号伝達部材５の複数の接触端子３０のうち、対応するいずれかに接続される上接点部２７ａ１が、図４（ｂ）で見る下向きの突形状に設けられている。
【００７９】
一方、第２のコンタクトビーム２７ｂは、上述したように、ハウジング２の底面板の内壁面に沿って前後方向に延在するように配置されているが、第２のコンタクトビーム２７ｂにおける前方側部分（図４（ｂ）の左側部分）には、信号伝達部材５の下面側に接触する下接点部２７ｂ１が、図４（ｂ）で見る上向きの突形状に設けられている。
【００８０】
この下接点部２７ｂ１は、第１のコンタクトビーム２７ａの上接点部２７ａ１の直下位置に対面するように配置されており、アクチュエータ４を初期位置（解放位置）から作用位置（閉塞位置）へと回動操作されることで、上接点部２７ａ１と下接点部２７ｂ１との間に、信号伝達部材５が押圧保持されるものとなる。
【００８１】
ここで、第１のコンタクトビーム２７ａの上接点部２７ａ１及び第２のコンタクトビーム２７ｂの下接点部２７ｂ１は、互いの位置をコネクタ前方側、または、コネクタ後方側にずらして配置することも可能である。
【００８２】
また、第２のコンタクトビーム２７ｂは、ハウジング２の底面板の内壁面に沿って配置されているが、信号伝達部材５をハウジング２の内部に仮保持するために、先端部分が弾性変位可能となるように形成することも可能である。例えば、第２のコンタクトビーム２７ｂにおいて、上接点部２７ａ１と下接点部２７ｂ１との間の距離（寸法）が、信号伝達部材５の厚みより僅かに短くなるように形成することもできる。
【００８３】
また、各第２のコンタクトビーム２７ｂの後方側部分（図４（ｂ）の右側部分）には、配線基板（図示省略）上に形成された導電路に半田接続される接続部２７ｂ２がそれぞれ設けられている。
【００８４】
なお、図４（ｃ）には第２のコンタクト２８の詳細な構造を示している。第２のコンタクト２８は、第１のコンタクト２７とは、ハウジング２の内部への圧入方向と、その形状が異なるが、基本的な機能は両部材で共通し、これを構成する各部分の機能も重複するものである。従って、第２のコンタクト２８の詳細な説明はせずに、概略的なものとする。なお、以下、第２のコンタクトを構成する部材で、第１のコンタクトを構成する部材と共通するものについて、同一の名称と、第２のコンタクト用の符号（第１のコンタクトの符号の一の位を「７」から「８」に変えた符号）を付け、図４（ｃ）において図示するものとする。
【００８５】
図４（ｃ）に示すように、第２のコンタクト２８は、第１のコンタクトビーム２８ａ及び第２のコンタクトビーム２８ｂ、連結支柱ビーム２８ｃを有している。第１のコンタクトビーム２８ａには、信号伝達部材５の複数の接触端子２９のうち、対応するいずれかに接続される上接点部２８ａ１が、図４（ｃ）で見る下向きの突形状に設けられている。第２のコンタクトビーム２８ｂには、信号伝達部材５の下面に接触する下接点部２８ｂ１が、図４（ｃ）で見る上向きの突形状に設けられている。各第２のコンタクトビーム２８ｂの前方側部分（図４（ｃ）の左側部分）には、配線基板（図示省略）上に形成された導電路に半田接続される接続部２８ｂ２がそれぞれ設けられている。
【００８６】
以下、第１のコンタクト２７を用いて、アクチュエータ４に関する構造の説明を続ける。図４（ｂ）及び図７（ｂ）に示すように、第１のコンタクト２７の第２のコンタクトビーム２７ｂの後方側部分（図４（ｂ）の右側部分）に、凹状の湾曲形状に形成されたカム回動凹部２７ｂ３が設けられている。このカム回動凹部２７ｂ３に受けられるようにして、開閉カム部材３１が滑動自在に配置されている。
【００８７】
また、第１のコンタクトビーム２７ａの後方側部分（図４（ｂ）の右側部分）には、受圧部２７ａ３が、第１のコンタクトビーム２７ａの下端縁部を形成するように設けられている。
【００８８】
第１のコンタクトビーム２７ａの受圧部２７ａ３は、アクチュエータ４に設けられた開閉カム部材３１に対して、接触する端縁部をなすように形成されている。この受圧部２７ａ３と、上述したカム回動凹部２７ｂ３との間に、アクチュエータ４の回動軸上に一体的に形成された開閉カム部材３１が回動可能に挟持されている。
【００８９】
アクチュエータ４は、図４（ａ）乃至図４（ｃ）に示す初期位置の状態から信号伝達部材５の端末部分９を挿入するコネクタ前方側（図４（ｂ）の左側）とは反対側のコネクタ後方側（図４（ｂ）の右側）に向かって押し倒されるように回動される構成となっている。
【００９０】
図５（ａ）乃至図５（ｃ）に、アクチュエータ４を初期位置にし、信号伝達部材５の末端部分９を差込口１０に挿入した状態を示す。アクチュエータ４は、コネクタ後方側に押し倒す前には、開閉操作部４ａが鉛直上方に位置した状態であり、図４（ａ）乃至図４（ｃ）に示すように開閉カム部材３１は、第１のコンタクトビーム２７ａを揺動させない状態となっている。
【００９１】
図７（ｂ）に示すように、アクチュエータ４の開閉カム部材３１は、縦断面が出っ張り部分と円形状とから形成されており、一対のカム作用面３１ａ、３１ａが形成されている。各カム作用面３１ａは、湾曲形状を有し、２つのカム作用面３１ａ，３１ａのうちの一方（図７（ｂ）の下方側部分）が、第２のコンタクトビーム２７ｂのカム回動凹部２７ｂ３の内部に摺動可能に収容されている。
【００９２】
２つのカム作用面３１ａ、３１ａのうちの他方（図７（ｂ）の上方側部分）は、上述したように第１のコンタクトビーム２７ａの後方部分の受圧部２７ａ３に対して、下方側から接触可能に配置されている。この他方側（上方側）のカム作用面３１ａは、アクチュエータ４が初期位置（開放位置）から作用位置（閉塞位置）に向かって回動操作される際に、第１のコンタクトビーム２７ａの受圧部２７ａ３に対して滑動自在に接触するように配置されている。
【００９３】
このようなカム回動凹部２７ｂ３及び受圧部２７ａ３に対する開閉カム部材３１の配置関係によって、開閉カム部材３１が回動可能に支持されており、アクチュエータ４の全体が、開閉カム部材３１の仮想回動中心３１ｄの回りに回動される構成になされている。
【００９４】
このようにハウジング２の後方側部分（図７（ａ）の右端部分）に回動可能に配置されたアクチュエータ４の全体は、コネクタ長手方向に沿って細長状に延在するように形成され、ハウジング２の全幅とほぼ同じ長さに渡って配置されている。このアクチュエータ４は、上述したように、開閉カム部材３１の仮想回動中心３１ｄの回りに回動されるように取り付けられている。この際の、回動半径方向の外方側に位置する部分（図７（ａ）の右端側部分）が、開閉操作部４ａとなっている。
【００９５】
この開閉操作部４ａに対して、作業者による適宜の回動操作力が付与されることで、アクチュエータ４は、図４（ｂ）のように、開閉操作部４ａが、電気コネクタ１が実装される配線基板（図示省略）から遠ざかり、ほぼ直立した状態の「初期位置（開放位置）」と、図７（ａ）のように、開閉操作部４ａが、電気コネクタ１が実装される配線基板（図示省略）に近づき、コネクタ後方側に向かってほぼ水平に倒された状態の「作用位置（閉塞位置）」との間で往復回動される構成となっている。
【００９６】
アクチュエータ４の開閉操作部４ａに対し、例えば、作業者が指先により初期位置（開放位置）から作用位置（閉塞位置）に向かって押し倒すようにして回動操作が行われると、上述した開閉カム部材３１の各カム作用面３１ａが、第２のコンタクトビーム２７ｂと第１のコンタクトビーム２７ａに当接するように構成されている。カム作用面３１ａが第１のコンタクトビーム２７ａに当接することにより、第１のコンタクトビーム２７ａの後方側に設けられた受圧部２７ａ３を含む第１のコンタクトビーム２７の全体が上方に持ち上げられるように変位し、それに伴って、第１のコンタクトビーム２７ａにおける受圧部２７ａ３の反対側（コネクタ前方側）に設けられた上接点部２７ａ１と、第２のコンタクトビーム２７ｂの下接点部２７ｂ１とで、それら両者の間に挿入された信号伝達部材５を上下から押圧保持する。
【００９７】
そして、アクチュエータ４が最終回動位置である「作用位置（閉塞位置）」まで回動しきったときには（図７（ａ）及び図７（ｂ）参照）、上述した第１のコンタクトビーム２７ａの上接点部２７ａ１と、第２のコンタクトビーム２７ｂの下接点部２７ｂ１とで信号伝達部材５を強固に押圧保持するものとなる。
【００９８】
この際、信号伝達部材５の配線パターン（信号伝送用及びシールド用の導電路）に対して、上接点部２７ａ１が圧接され、それによって電気的な接続が行われる。電気コネクタ１の全体では、アクチュエータ４が作用位置まで回動した際には、アクチュエータ４の主面４ｂがハウジング２の上側壁部６の上端面と略同一平面に位置し、アクチュエータ４の開閉操作部４ａが媒体挿入方向の奥側に位置するものとなる（図６（ａ）乃至図６（ｃ）参照）。
【００９９】
また、アクチュエータ４が、初期位置（開放位置）から後方側に回動されて作用位置（閉塞位置）まで移動された状態においては、アクチュエータ４における主面４ｂの反対面となる裏面部分が、配線基板（図示省略）に対面するように近接する配置関係となる。
【０１００】
ここまでで、電気コネクタ１の導電性のコンタクト３及びアクチュエータ４の構造について説明したが、本発明で適用する導電性のコンタクトの構造はこれに限定されるものではない。上述した電気コネクタ１では、アクチュエータ４の回動動作により、コンタクトの接点部での接続を操作する構造を有していたが、本発明はアクチュエータ４を有さない電気コネクタの構造であってもよい。
【０１０１】
以上で説明した本発明を適用した電気コネクタの一例である電気コネクタ１は、次のような作用効果を奏する。
【０１０２】
まず、ハウジング２の上部壁部６のコネクタ長手方向の長さが、信号伝達部材５の同方向の長さより短く形成され、信号伝達部材５をハウジング２の差込口１０に挿入した際に、信号伝達部材５のコネクタ長手方向の端部１２の位置を確認可能となっている。これにより、信号伝達部材５の挿入位置を容易に確認することができ、ハウジング２の開口部１１を介して、信号伝達部材５の末端部分９の挿入状態が視認しやすいものとなっている。
【０１０３】
また、ハウジング２の開口部１１を、上部壁部６のコネクタ長手方向の両端側に設けたことで、信号伝達部材５の末端部分９の挿入状態を、より一層、視認しやすいものとなっている。
【０１０４】
また、コネクタ長手方向において、ハウジング２の上側壁部６の長さより、信号伝達部材５の長さが長く、更に、信号伝達部材５の長さより、ハウジング２の下側壁部７の長さが長いものとなっている。これにより、信号伝達部材５をハウジング２の差込口１０に挿入した際に、ハウジング２の上側壁部６及び下型壁部７のコネクタ長手方向の端部との間に、信号伝達部材５の端部１２が位置するものとなり、電気コネクタ２を平面視または斜め上方から目視することで、信号伝達部材５の挿入位置が把握しやすいものとなる。
【０１０５】
更に、ハウジング２の下側壁部７に位置確認部１９を設け、同部分にて信号伝達部材９の末端部分９との当接可能に構成したことで、信号伝達部材５の挿入状態を視認しやすいものとなっている。
【０１０６】
また、ハウジング２にガイド部２３を設け、信号伝達部材５に形成した案内部２５と係合可能に構成したため、信号伝達部材５をハウジング２の差込口１０に挿入する際に、信号伝達部材５がその主面に沿って回転する動きを規制して、信号伝達部材５がコネクタ短手方向に対して斜めに挿入されて半嵌合の状態となることを抑止することができる。
【０１０７】
また、ハウジング２において、下側壁部７の短手方向における媒体挿入方向の手前側の端部１５が、上側壁部６の短手方向における媒体挿入方向の手前側の端部１６よりも、外方にとび出た形状となっているため、信号伝達部材５を斜め上方から挿入することが可能となり、信号伝達部材５の差込口１０への挿入が容易なものとなっている。そのため、例えば、電気コネクタを小型化する要望から、ハウジングの高さを低背化した構造であり、信号伝達部材の差込口の開口面積が小さなものに対しても、信号伝達部材を挿入する際の作業性を向上させることができる。
【０１０８】
以上のように、本発明に係る電気コネクタは、信号伝達部材の挿入状態を確認する際の視認性が良好なものとなっている。
【符号の説明】
【０１０９】
１      電気コネクタ
２      ハウジング
２ａ      第１のハウジング部
２ｂ      第２のハウジング部
３      コンタクト
４      アクチュエータ
４ａ      開閉操作部
４ｂ      アクチュエータの主面
５      信号伝達部材
６      上側壁部（第１の部材）
６ａ      上側壁部（第１のハウジング部）
６ｂ      上側壁部（第２のハウジング部）
７      下側壁部（第２の部材）
７ａ      下側壁部（第１のハウジング部）
７ｂ      下側壁部（第２のハウジング部）
８      上下連結部（第３の部材）
９      末端部分
１０      差込口
１１      開口部
１２      （信号伝達部材のコネクタ長手方向）の端部
１３      （上側壁部のコネクタ長手方向の）端部
１４      （下側壁部のコネクタ長手方向の）端部
１５      （下側壁部の短手方向における媒体挿入方向の手前側の）端部
１６      （上側壁部の短手方向における媒体挿入方向の手前側の）端部
１７      溝部
１８      溝部
１９      位置確認部
２０      （上側壁部の媒体挿入方向側の）端部
２１      部品装着部
２２      接触端子部
２３      ガイド部
２４      傾斜部
２５      案内部
２７      第１のコンタクト
２７ａ      第１のコンタクトビーム
２７ａ１      接点部
２７ａ３      受圧部
２７ｂ      第２のコンタクトビーム
２７ｂ１      接点部
２７ｂ２      接続部
２７ｂ３      カム回動凹部
２７ｃ      連結支柱ビーム
２８      第２のコンタクト
２８ａ      第１のコンタクトビーム
２８ａ１      接点部
２８ｂ      第２のコンタクトビーム
２８ｂ１      接点部
２８ｂ２      接続部
２８ｃ      連結支柱ビーム
２９      接触端子
３０      接触端子
３１      開閉カム部材
３１ａ      カム作用面
３１ｄ      開閉カム部材の仮想回動中心
３２      （第１のハウジング部の差込口側の）端部
３３      （第２のハウジング部の差込口の反対側の）端部
【図１】
2018067464.tif 000003
【図２】
2018067464.tif 000004
【図３】
2018067464.tif 000005
【図４】
2018067464.tif 000006
【図５】
2018067464.tif 000007
【図６】
2018067464.tif 000008
【図７】
2018067464.tif 000009